(57)【特許請求の範囲】
【請求項１】
男性の陰茎周囲の体表面側に当接されて取付けられる装着部本体と、この装着部本体の表面に前記陰茎を挟む両側に位置するように一端部側が回動可能に取付けられた一対の支持棒と、これら支持棒の両端部側に装着可能に取付けられて前記陰茎の先端側の亀頭が支持されるよう当接される支持部と、この支持部に取付けられる前記亀頭の保持用のベルトとを有し、前記一対の支持棒は、前記陰茎の長さに応じて長さ調整可能に形成されているとともに、スプリングの付勢力に抗して前記装着部本体側に押し込み可能に形成され、かつ前記一対の支持棒は、前記スプリングの付勢力に抗して前記装着部本体側に押し込んだときの状態をロックすることで短くした状態を保持できる機構に形成されているとともに、前記支持部は、前記亀頭の裏面側が当接される凹部形状の保持部に形成され、かつ前記支持部に取付けられる前記亀頭の保持用のベルトは、前記亀頭の大きさに合わせて保持するよう調整可能に取付けられていることを特徴とするペニス運動器具。
【発明の詳細な説明】
【技術分野】
【０００１】
本発明は、人の陰茎部分であるペニスに装着することで、亀頭側を保持しつつ陰茎体を、痛み無く伸張させることが可能になるペニス運動器具に関するものである。
【背景技術】
【０００２】
従来から使用されている陰茎を伸張させるためのペニス運動器具は、亀頭側を保持するベルトによる伸張力が亀頭部に集中する構造になっているため、初動作が固く痛みを生じ易く、長時間使用する場合には痛みを伴うことがあり、約１時間程度の間隔で装着し直す必要があった。そのため、ペニス運動器具の脱着回数が多くなり、日中における職場等における使用には不便なことがあった。
【０００３】
なお、従来のペニス拡張装置に関連して、陰茎亀頭を固定するための固定装置と引っ張り支持として作用する陰茎根の受容部との間に延在する延伸要素を有するペニス拡張装置が開示されている（例えば、特許文献１参照）
【０００４】
【特許文献１】特許公表２００１−５１９２０６号公報
【発明の開示】
【発明が解決しようとする課題】
【０００５】
本発明は上記事情に鑑みなされたもので、初期におけるペニス伸張の痛みの原因となる強い引きとならず、初心者から少ない痛みで長時間の使用が可能になるとともに、外れ難くできるペニス運動器具を提供することを目的とする。
【課題を解決するための手段】
【０００６】
上記目的を達成するために請求項１に記載の発明にあっては、男性の陰茎周囲の体表面側に当接されて取付けられる装着部本体と、この装着部本体の表面に前記陰茎を挟む両側に位置するように一端部側が回動可能に取付けられた一対の支持棒と、これら支持棒の両端部側に装着可能に取付けられて前記陰茎の先端側の亀頭が支持されるよう当接される支持部と、この支持部に取付けられる前記亀頭の保持用のベルトとを有し、前記一対の支持棒は、前記陰茎の長さに応じて長さ調整可能に形成されているとともに、スプリングの付勢力に抗して前記装着部本体側に押し込み可能に形成され、かつ前記一対の支持棒は、前記スプリングの付勢力に抗して前記装着部本体側に押し込んだときの状態をロックすることで短くした状態を保持できる機構に形成されているとともに、前記支持部は、前記亀頭の裏面側が当接される凹部形状の保持部に形成され、かつ前記支持部に取付けられる前記亀頭の保持用のベルトは、前記亀頭の大きさに合わせて保持するよう調整可能に取付けられていることを特徴とするものである。支持部が陰茎の先端側の亀頭が支持されるよう当接することで、初期におけるペニス伸張の痛みの原因となる強い引きとならず、初心者から少ない痛みで長時間の使用が可能になるとともに、外れ難くでき、陰茎の長さに応じて長さ調整可能に形成することで誰でも使用することができ、かつロックにより短くした状態を保持することで、ペニス伸張を一時的に中止させることができ、かつ支持部が凹部形状の保持部に形成されていることで、亀頭の裏面側を痛みなく的確に保持することができ、かつベルトが亀頭の大きさに合わせて調整できることで適切な使用が可能になる。
【発明の効果】
【００１１】
男性の陰茎周囲の体表面側に当接されて取付けられる装着部本体と、この装着部本体の表面に陰茎を挟む両側に位置するように一端部側が回動可能に取付けられた一対の支持棒と、これら支持棒の両端部側に装着可能に取付けられて陰茎の先端側の亀頭が支持されるよう当接される支持部と、この支持部に取付けられる亀頭の保持用のベルトとを有するこで、初期におけるペニス伸張の痛みの原因となる強い引きとならず、初心者から少ない痛みで長時間の使用が可能になるとともに、外れ難くできる。
【発明を実施するための最良の形態】
【００１２】
以下、本発明を図示の一実施形態により具体的に説明する。図１及び図２は本発明実施形態のペニス運動器具を説明する図であり、図１はペニス運動器具の保持部を外した状態の上面側の斜視図、図２はペニス運動器具の保持部を装着した状態の下面側の斜視図である。なお、装着状態における動作については後の図面により説明している。
【００１３】
本発明実施形態のペニス運動器具１０は、男性のペニスの陰茎１部分に装着して伸張する機器である。ここで、陰茎１は、体側の部分を陰茎根２、先端側の部分を亀頭４、陰茎根２と亀頭４との間の部分を陰茎体３という。このペニス運動器具１０は、陰茎根２の周囲の体表面側に当接されて取付けられる装着部本体１１と、この装着部本体１１の表面に陰茎１を挟む両側に位置するように一端部側が回動可能に取付けられた一対の支持棒１４，１４と、これら支持棒１４，１４の両端部側に装着可能に取付けられる支持部１６と、この支持部１６に装着可能に取付けられる亀頭４の保持用のベルト２１とから構成されている。なお、図１においては、支持棒１４，１４はスプリングにより伸縮された状態を示すとともに、支持部１６を支持棒１４，１４の両端部側から外した状態を示している。また、図２においては、支持棒１４，１４はスプリングの伸張に抗して引き下げロック状態にするとともに、支持部１６を支持棒１４，１４の両端部側に装着した状態を示している。
【００１４】
上記装着部本体１１は、プラスチック等の樹脂材料等からなり、陰茎根２側の周囲を十分の大きさで覆うとともに、体側の表面に当接させて装着されるほぼ円形リング状に形成された装着リング部１２で、例えば、内径が４〜５ｃｍ、外径が６〜７ｃｍ程度の大きさに形成されたものが使用できる。また、この装着部本体１１の装着リング部１２の表面側には、後に詳細に説明する一対の支持棒１４，１４を回動可能に装着するための取付部１３，１３が形成されている。これら取付部１３，１３は、装着部本体１１が装着されたとき、陰茎根２を挟む左右となる位置に形成されている。
【００１５】
前記支持棒１４，１４は、同じ長さの金属材料等の軸状材料等からなり、それぞれの一方の端部側が取付部１３，１３に回動可能に取付けられている。これら支持棒１４，１４は、例えば、８〜１０ｍｍ程度の外径を有する軸状体で、陰茎１の長さに応じて他方の端部側に追加の支持棒を捩じ込んで取付けることで長さ調整可能になっている。また、これら支持棒１４，１４の取付部１３，１３側は、内部に図示しないスプリング等の材料が挿入されて伸縮可能な牽引部１５，１５が形成され、支持棒１４，１４をスプリングの付勢力に抗して装着部本体１１側に、例えば、１．５〜２ｃｍ程度の長さ押し込むことができ、かつこの押し込んだ状態をロックすることで短くした状態で保持できるとともに、ロックを解除することで保持の状態からスプリングにより伸張できるようになっている。
【００１６】
前記支持部１６は、支持棒１４，１４の端部側に取付けられ、亀頭４を当接させて保持する部分である。この支持部１６は、装着部本体１１と同様のプラスチック等の樹脂材料等からなり、支持棒１４，１４の端部側が挿入される取付部１７，１７が形成され、これら取付部１７，１７の間に亀頭４の裏面側が当接される凹部形状の保持部１８が形成され、さらにこの保持部１８の装着部本体１１と反対側の端部側に亀頭４の保持用のベルト２１を取付けるための一対の取付孔１９，１９が形成され、かつ支持部１６の裏面側には取付孔１９，１９に装着されたベルト２１の両端部側を抜けないよう装着するベルト固定部２０，２０が形成されたものである。
【００１７】
ベルト２１は、支持部１６の取付孔１９，１９に挿入してリング状に取付けて使用されるものであり、例えば、シリコンゴム等の材料からなる外径が６〜７ｍｍ、内径が１〜２ｍｍ程度の肉厚で柔軟な円形チューブで、長さが２０〜３０ｃｍ程度のものが使用される。
【００１８】
次に、上記のペニス運動器具１０を使用する場合の装着手順を含む使用方法を具体的に説明する。図３は装着前の状態を説明する図、図４は装着時の亀頭の保持状態を説明する図、図５は装着後の陰茎の処理状態を説明する図、図６は装着後の陰茎処理に続く処理状態を説明する図、図７は装着状態を説明する図、図８は装着状態におけるベルトの固定状態を説明する図である。
【００１９】
まず、本発明のペニス運動器具１０を使用開始するには、牽引部１５，１５がスプリングにより伸縮可能な状態にし、陰茎１の位置が保持部１８に近接する状態になるような長さになる支持棒１４，１４を使用する。次に、装着前には、ベルト２１の装着されるリング状になっている部分、及び亀頭４の表面に予めベビーパウダー等を塗布しておく。このベビーパウダーの塗布は、べたべた状態でなく、さらさら状態に塗布することにより外れ難くすることができる。次に、図３に示すように、陰茎１を亀頭４側から装着部本体１１の装着リング部１２に挿入して、体側の表面に当接させて装着する。
【００２０】
次に、図４に示すように、支持棒１４，１４の牽引部１５，１５側のスプリングの付勢力に抗して支持部１６側を装着部本体１１側に押し込み、ベルト２１のリング状部分に亀頭４を挿入し、この亀頭４の裏面側が凹部形状の保持部１８に当接されるように装着される。
【００２１】
次に、図５に示すように、上記のスプリングの押し込みを保持しつつ、陰茎体３の皮を亀頭４側に引上げる。これはベルト２１を締めた後ではスプリングの力が強くて陰茎体３の陰茎根２側の皮を引っ張り出せなかったり、引っ張り出した亀頭４が外れてしまったりするからである。
【００２２】
次に、図６に示すように、上記のスプリングの押し込みを保持しつつ、陰茎根２側から陰茎体３側に引上げた皮と、亀頭４下部の皮の弛みを裏側に引っ張りしわを伸ばす。ここでスプリングの押し込み状態が確実に維持されていれば、体側に戻ることがない。しわのままベルト２１を締めてしますと、薄皮が折りたたまれた状態となり、痛むだけでなく、傷になってしまうおそれがあるからである。
【００２３】
次に、図７に示すように、上記のスプリングの押し込みを保持しつつ、ベルト２１を保持部１８の裏面側から引っ張り締める。このとき、ベルト２１の亀頭４下の接触部分にしわが生じないように注意しつつ引っ張ることが重要である。また、ベルト２１を締め上げる直前に亀頭４部分をつまんで、手前に倒すように引っ張っておくと、抜け難くすることができる。
【００２４】
次に、図８に示すように、保持部１８裏面側に引出されたベルト２１を押さえながらベルト固定部２０，２０に押し付けて固定する。この状態で陰茎１部分のみが引っ張られて、外側の皮には余裕がある状態になっていればよい。もし、外側の皮が突っ張つている場合、この引っ張られ陰茎根２側に装着リング部１２が押し付けられている状態になってからでは、陰茎根２側の皮を引出すことが困難となるため、最初からやり直す必要がある。
【００２５】
以上説明したように、本発明実施形態のペニス運動器具１０では、男性の陰茎１周囲の体表面側に当接されて取付けられる装着部本体１１と、この装着部本体１１の表面に陰茎を挟む両側に位置するように一端部側が回動可能に取付けられた一対の支持棒１４，１４と、これら支持棒１４，１４の両端部側に装着可能に取付けられて陰茎１の先端側の亀頭４が支持されるよう当接される支持部１６と、この支持部１６に取付けられる亀頭４の保持用のベルト２１とを有するこで、初期におけるペニス伸張の痛みの原因となる強い引きとならず、初心者から少ない痛みで長時間の使用が可能になるとともに、外れ難くできる。
【産業上の利用可能性】
【００２６】
初期におけるペニス伸張の痛みの原因となる強い引きとならず、初心者から少ない痛みで長時間の使用が可能になるとともに、外れ難くできるペニス運動器具を提供する。
【図面の簡単な説明】
【００２７】
【図１】本発明実施形態のペニス運動器具の保持部を外した状態の上面側の斜視図である。
【図２】本発明実施形態のペニス運動器具の保持部を装着した状態の下面側の斜視図である。
【図３】本発明実施形態の装着前の状態を説明する図である。
【図４】本発明実施形態の装着時の亀頭の保持状態を説明する図である。
【図５】本発明実施形態の装着後の陰茎の処理状態を説明する図である。
【図６】本発明実施形態の装着後の陰茎処理に続く処理状態を説明する図である。
【図７】本発明実施形態の装着状態を説明する図である。
【図８】本発明実施形態の装着状態におけるベルトの固定状態を説明する図である。
【符号の説明】
【００２８】
１  陰茎
２  陰茎根
３  陰茎体
４  亀頭
１０  ペニス運動器具
１１  装着部本体
１２  装着リング部
１３  取付部
１４  支持棒
１５  牽引部
１６  支持部
１７  取付部
１８  保持部
１９  取付孔
２０  ベルト固定部
２１  ベルト
【図１】
0004656591.tif 000002
【図２】
0004656591.tif 000003
【図３】
0004656591.tif 000004
【図４】
0004656591.tif 000005
【図５】
0004656591.tif 000006
【図６】
0004656591.tif 000007
【図７】
0004656591.tif 000008
【図８】
0004656591.tif 000009